【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
マトリクス状に配列された複数の単位画素を備えた液晶表示パネルであって、
それぞれの単位画素は、複数の副画素領域を有しているとともに、
前記複数の副画素領域のそれぞれに配置され、走査線およびデータ線と電気的に接続されている複数のアクティブ素子と、
前記複数の副画素領域のそれぞれに配置され、その一方の電極が同じ副画素領域内のアクティブ素子と電気的に接続されている複数の液晶キャパシタと、
前記複数の副画素領域のそれぞれに配置され、その一方の電極が同じ副画素領域内のアクティブ素子と電気的に接続されている複数の蓄積キャパシタを備えており、
それぞれの単位画素では、蓄積キャパシタと液晶キャパシタの容量比が副画素領域毎に異なっており、
前記走査線に走査信号が印加され、前記データ線にデータ信号が印加され、前記蓄積キャパシタの前記アクティブ素子に接続されていない他方の電極に補正信号が印加され、前記走査信号が高レベルから低レベルに切り換わると、前記補正信号が第１のレベルから第２のレベルに切り換えられることを特徴とする液晶表示パネル。
【請求項２】
それぞれの単位画素は、前記複数の副画素領域のそれぞれに配置された複数の蓄積キャパシタ対向電極をさらに備えており、
前記蓄積キャパシタ対向電極と蓄積キャパシタ線との間で前記蓄積キャパシタが形成されていることを特徴とする請求項１に記載の液晶表示パネル。
【請求項３】
前記蓄積キャパシタ線は、延伸方向が前記データ線の延伸方向と実質的に同じであることを特徴とする請求項２に記載の液晶表示パネル。
【請求項４】
前記画素電極にはスリットが形成されており、
前記蓄積キャパシタ線は、同じ副画素領域内の画素電極に形成されたスリットに沿って配置されていることを特徴とする請求項３に記載の液晶表示装置。
【請求項５】
前記蓄積キャパシタ線は、隣接する２本の走査線の間に走査線と平行に形成されていることを特徴とする請求項２に記載の液晶表示パネル。
【請求項６】
それぞれの単位画素は、前記複数の副画素領域のそれぞれに配置された複数の画素電極をさらに備えており、
前記蓄積キャパシタ対向電極は、同じ副画素領域内の画素電極と電気的に接続されていることを特徴とする請求項２に記載の液晶表示パネル。
【請求項７】
同一の単位画素内に配置された複数のアクティブ素子が、互いに異なる寄生容量値を有することを特徴とする請求項１から６のいずれか一項に記載の液晶表示パネル。
【請求項８】
それぞれの単位画素では、前記蓄積キャパシタの容量値が前記副画素領域毎に異なることを特徴とする請求項１から７のいずれか一項に記載の液晶表示パネル。
【請求項９】
それぞれの単位画素では、前記液晶キャパシタの容量値が前記副画素領域毎に異なることを特徴とする請求項１から８のいずれか一項に記載の液晶表示パネル。
【請求項１０】
複数の走査線と複数のデータ線と複数の単位画素を備え、その単位画素は複数の副画素領域を有するとともに前記複数の副画素領域のそれぞれに配置された複数のアクティブ素子と蓄積キャパシタを備えており、前記アクティブ素子は対応する走査線およびデータ線と電気的に接続されており、前記蓄積キャパシタは一方の電極は同じ副画素領域内のアクティブ素子と電気的に接続されている液晶表示パネルを駆動する駆動方法であって、
前記走査線に走査信号を印加する工程と、
前記データ線にデータ信号を印加する工程と、
前記蓄積キャパシタの前記アクティブ素子に接続されていない電極に補正信号を印加する工程を備え、
前記補正信号は第１のレベルと第２のレベルを有し、前記走査信号が高レベルから低レベルに切り換わると前記補正信号を第１のレベルから第２のレベルに切り換えることを特徴とする駆動方法。
【請求項１１】
前記液晶表示パネルのそれぞれの単位画素は複数の蓄積キャパシタ対向電極をさらに備えており、
前記蓄積キャパシタ対向電極と蓄積キャパシタ線との間で前記蓄積キャパシタが形成されており、
前記補正信号は前記蓄積キャパシタ線に印加されることを特徴とする請求項１０に記載の駆動方法。
【請求項１２】
同一フレーム期間内において、隣接する単位画素に印加されるデータ信号の極性が互いに異なることを特徴とする請求項１０又は１１に記載の駆動方法。
【請求項１３】
前記データ信号と前記補正信号の周波数が同じであることを特徴とする請求項１２に記載の駆動方法。
【請求項１４】
同一フレーム期間内において、同じ列の単位画素に印加されるデータ信号の極性は同じであり、隣接する２列の単位画素に印加されるデータ信号の極性は互いに異なることを特徴とする請求項１０又は１１に記載の駆動方法。
【請求項１５】
それぞれの単位画素において、前記走査信号が低レベルに切り換わると、前記補正信号を高レベルに切り換えることを特徴とする請求項１０又は１１に記載の駆動方法。
【請求項１６】
それぞれの単位画素において、前記走査信号が低レベルに切り換わり、前記データ信号は対応する階調値が低階調であるとともに正極性であるとき、データ信号の電圧が前記液晶表示パネルの共通電圧よりも小さいことを特徴とする請求項１５に記載の駆動方法。
【請求項１７】
それぞれの単位画素において、前記走査信号が低レベルに切り換わると、前記補正信号を低レベルに切り換えることを特徴とする請求項１０又は１１に記載の駆動方法。
【請求項１８】
それぞれの単位画素において、前記走査信号が低レベルに切り換わり、前記データ信号は対応する階調値が低階調であるとともに負極性であるとき、データ信号の電圧は前記液晶表示パネルの共通電圧より大きいことを特徴とする請求項１７に記載の駆動方法。
【請求項１９】
マトリクス状に配列された複数の単位画素を備えた液晶表示パネルであって、
それぞれの単位画素は、第１の副画素領域と第２の副画素領域を有しており、
第１の副画素領域と第２の副画素領域のそれぞれは、
走査線およびデータ線と電気的に接続されているアクティブ素子と、
前記アクティブ素子と電気的に接続されており、液晶キャパシタの一方の電極となっている画素電極と、
前記アクティブ素子と電気的に接続されている蓄積キャパシタ対向電極と、
液晶表示パネル全体における延伸方向が前記データ線の延伸方向と実質的に同じであるとともに、前記蓄積キャパシタ対向電極との間で蓄積キャパシタを形成している蓄積キャパシタ線とを含み、
前記第１の副画素領域内のアクティブ素子と前記第２の副画素領域内のアクティブ素子が同じ走査線およびデータ線と電気的に接続されており、
前記第１の副画素領域内の蓄積キャパシタと液晶キャパシタとの容量比が、前記第２の副画素領域内の蓄積キャパシタと液晶キャパシタとの容量比と異なることを特徴とする液晶表示パネル。
【請求項２０】
前記走査線に走査信号が印加され、前記データ線にデータ信号が印加され、前記蓄積キャパシタ線に補正信号が印加され、前記走査信号が高レベルから低レベルに切り換わると、前記補正信号が第１のレベルから第２のレベルに切り換えられることを特徴とする請求項１９に記載の液晶表示パネル。
【請求項２１】
前記第１の副画素領域内のアクティブ素子と前記第２の副画素領域内のアクティブ素子は、互いに異なる寄生容量値を有することを特徴とする請求項１９又は２０に記載の液晶表示パネル。
【請求項２２】
前記第１の副画素領域内の蓄積キャパシタと前記第２の副画素領域内の蓄積キャパシタは、互いに異なる容量値を有することを特徴とする請求項１９から２１のいずれか一項に記載の液晶表示パネル。
【請求項２３】
前記第１の副画素領域内の液晶キャパシタと前記第２の副画素領域内の液晶キャパシタは、互いに異なる容量値を有することを特徴とする請求項１９から２２のいずれか一項に記載の液晶表示パネル。
【請求項２４】
前記画素電極にはスリットが形成されており、
前記蓄積キャパシタ線の単位画素内の部分は、前記スリットに沿って配置されていることを特徴とする請求項１９から２３のいずれか一項に記載の液晶表示パネル。